(57)【要約】【課題】撮像画像が撮像装置から他の機器に転送される構成において、撮像画像の転送状況に依らず、撮像装画像の閲覧や編集を可能にすることを目的とする。【解決手段】撮像装置、第１の情報処理装置及び第２の情報処理装置を備える情報処理システムであって、第１の情報処理装置は、撮像装置によって撮像された画像を受信する受信手段と、記受信手段が受信した前記画像を記憶する記憶手段とを有し、第２の情報処理装置は、第１の情報処理装置との通信が不可能な場合に、撮像装置から画像を受信する受信手段と、受信手段が撮像装置から受信した画像に対して、ユーザ操作に応じた処理を行う処理実行手段と、第１の情報処理装置が通信可能になった場合に、処理実行手段による処理内容を示す管理情報を第１の情報処理装置に送信する送信手段とを有する。【選択図】図６
2018136609.tif 000002
【特許請求の範囲】
【請求項１】
撮像装置、第１の情報処理装置及び第２の情報処理装置を備える情報処理システムであって、
前記第１の情報処理装置は、
前記撮像装置によって撮像された画像を受信する受信手段と、
前記受信手段が受信した前記画像を記憶する記憶手段と
を有し、
前記第２の情報処理装置は、
前記第１の情報処理装置との通信が不可能な場合に、前記撮像装置から前記画像を受信する受信手段と、
前記受信手段が前記撮像装置から受信した前記画像に対して、ユーザ操作に応じた処理を行う処理実行手段と、
前記第１の情報処理装置が通信可能になった場合に、前記処理実行手段による処理内容を示す管理情報を前記第１の情報処理装置に送信する送信手段と
を有することを特徴とする情報処理システム。
【請求項２】
前記第２の情報処理装置の前記受信手段は、前記第１の情報処理装置との通信が可能な場合には、前記画像を前記第１の情報処理装置から受信し、
前記第２の情報処理装置の前記処理実行手段は、前記第１の情報処理装置から前記画像を受信した場合には、前記第１の情報処理装置から受信した前記画像に対して、ユーザ操作に応じた処理を行うことを特徴とする請求項１に記載の情報処理システム。
【請求項３】
前記第２の情報処理装置は、前記管理情報の前記第１の情報処理装置への送信状況を示す情報を表示手段に表示するよう制御する第１の表示処理手段をさらに有することを特徴とする請求項１又は２に記載の情報処理システム。
【請求項４】
前記第２の情報処理装置は、前記第１の情報処理装置との通信が不可能な場合に、前記通信が不可能なことを示す情報を表示手段に表示するよう制御する第２の表示処理手段をさらに有することを特徴とする請求項１乃至３の何れか１項に記載の情報処理システム。
【請求項５】
前記第１の情報処理装置は、前記第２の情報処理装置から受信した前記管理情報を前記記憶手段に記録する記録手段をさらに有することを特徴とする請求項１乃至４の何れか１項に記載の情報処理システム。
【請求項６】
撮像装置から受信した画像を記憶する外部装置との通信が不可能な場合に、前記画像を前記撮像装置から受信する受信手段と、
前記受信手段が受信した画像に対して、ユーザ操作に応じた処理を行う処理実行手段と、
前記外部装置が通信可能になった場合に、前記処理実行手段による処理内容を示す管理情報を前記外部装置に送信する送信手段と
を有することを特徴とする情報処理装置。
【請求項７】
撮像装置、第１の情報処理装置及び第２の情報処理装置を備える情報処理システムが実行する情報処理方法であって、
前記第１の情報処理装置が、前記撮像装置によって撮像された画像を受信する受信ステップと、
前記第１の情報処理装置が、受信した前記画像を記憶手段に記録する記録ステップと、
前記第２の情報処理装置が、前記第１の情報処理装置との通信が不可能な場合に、前記撮像装置から前記画像を受信する受信ステップと、
前記第２の情報処理装置が、前記撮像装置から受信した前記画像に対して、ユーザ操作に応じた処理を行う処理実行ステップと、
前記第２の情報処理装置が、前記第１の情報処理装置が通信可能になった場合に、前記処理実行ステップにおける処理内容を示す管理情報を前記第１の情報処理装置に送信する送信ステップと
を含むことを特徴とする情報処理方法。
【請求項８】
情報処理装置が実行する情報処理方法であって、
撮像装置から受信した画像を記憶する外部装置との通信が不可能な場合に、前記画像を前記撮像装置から受信する受信ステップと、
前記受信ステップにおいて受信した画像に対して、ユーザ操作に応じた処理を行う処理実行ステップと、
前記外部装置が通信可能になった場合に、前記処理実行ステップにおける処理内容を示す管理情報を前記外部装置に送信する送信ステップと
を含むことを特徴とする情報処理方法。
【請求項９】
コンピュータを、
撮像装置から受信した画像を記憶する外部装置との通信が不可能な場合に、前記画像を前記撮像装置から受信する受信手段と、
前記受信手段が受信した画像に対して、ユーザ操作に応じた処理を行う処理実行手段と、
前記外部装置が通信可能になった場合に、前記処理実行手段による処理内容を示す管理情報を前記外部装置に送信する送信手段と
して機能させるためのプログラム。
【発明の詳細な説明】
【技術分野】
【０００１】
本発明は、撮像装置により撮像された画像を管理する情報処理システム、情報処理装置、情報処理方法及びプログラムに関する。
【背景技術】
【０００２】
従来、スマートフォンやタブレットといった端末を操作して外部装置からＰＣ等の装置に撮像画像を転送することが可能である。特許文献１には、スマートフォンにおいて、カメラから画像を取得して再生し、この際、事前設定しておいた解像度に画像を変換し、別の外部装置に転送する技術が開示されている。
【先行技術文献】
【特許文献】
【０００３】
【特許文献１】特開２０１３−１３５３４９号公報
【発明の概要】
【発明が解決しようとする課題】
【０００４】
撮像画像は、撮像装置において内蔵記憶媒体や着脱可能な外部記憶媒体に記憶された後、ユーザの意図によりＰＣ等に付属する記憶装置に転送され撮像装置側の記憶媒体からは削除されることがある。しかし、スマートフォンやタブレットといった端末を操作して撮像画像の閲覧または編集する際に、撮像画像が撮像装置とＰＣのどちらに記憶されているかを意識しなければならないのはユーザにとって煩わしい。
【０００５】
本発明はこのような問題点に鑑みなされたもので、撮像画像が撮像装置から他の機器に転送される構成において、撮像画像の転送状況に依らず、撮像装画像の閲覧や編集を可能にすることを目的とする。
【課題を解決するための手段】
【０００６】
そこで、本発明は、撮像装置、第１の情報処理装置及び第２の情報処理装置を備える情報処理システムであって、前記第１の情報処理装置は、前記撮像装置によって撮像された画像を受信する受信手段と、前記受信手段が受信した前記画像を記憶する記憶手段とを有し、前記第２の情報処理装置は、前記第１の情報処理装置との通信が不可能な場合に、前記撮像装置から前記画像を受信する受信手段と、前記受信手段が前記撮像装置から受信した前記画像に対して、ユーザ操作に応じた処理を行う処理実行手段と、前記第１の情報処理装置が通信可能になった場合に、前記処理実行手段による処理内容を示す管理情報を前記第１の情報処理装置に送信する送信手段とを有することを特徴とする。
【発明の効果】
【０００７】
本発明によれば、撮像画像が撮像装置から他の機器に転送される構成において、撮像画像の転送状況に依らず、撮像装画像の閲覧や編集を可能にすることができる。
【図面の簡単な説明】
【０００８】
【図１】画像管理システムの全体図である。
【図２】スマートフォンのハードウェア構成を示す図である。
【図３】撮像装置のハードウェア構成を示す図である。
【図４】ＰＣの処理を示すフローチャートである。
【図５】撮像装置の処理を示すフローチャートである。
【図６】スマートフォンの処理を示すフローチャートである。
【図７】スマートフォンの処理を示すフローチャートである。
【図８】ＰＣの処理を示すフローチャートである。
【図９】スマートフォンの処理を示すフローチャートである。
【発明を実施するための形態】
【０００９】
以下、本発明の実施形態について図面に基づいて説明する。
【００１０】
図１は、本実施形態に係る画像管理システム１００の全体図である。画像管理システム１００は、スマートフォン１１０と、ＰＣ１２０と、撮像装置１３０と、を有している。ここで、スマートフォン１１０及びＰＣ１２０は、何れも情報処理装置であればよく、実施形態に限定されるものではない。画像管理システム１００は、撮像装置と、情報処理装置とを備えた情報処理システムの一例である。スマートフォン１１０、ＰＣ１２０及び撮像装置１３０は、ネットワークを介して相互に通信可能である。本実施形態においては、撮像装置１３０により得られた画像は、ＰＣ１２０に転送され、ＰＣ１２０において管理される。ユーザは、スマートフォン１１０を用いて、ＰＣ１２０又は撮像装置１３０にアクセスし、撮像装置１３０により撮像された画像を閲覧したり編集したりする。
【００１１】
図２は、スマートフォン１１０のハードウェア構成を示す図である。スマートフォン１１０は、ＣＰＵ２０１と、ＲＯＭ２０２と、ＲＡＭ２０３と、外部記憶装置２０４と、表示部２０５と、操作部２０６と、通信部２０７とを有している。ＣＰＵ２０１は、ＲＯＭ２０２に記憶された制御プログラムを読み出して各種処理を実行する。ＲＡＭ２０３は、ＣＰＵ２０１の主メモリ、ワークエリア等の一時記憶領域として用いられる。外部記憶装置２０４は、例えば、ハードディスクやメモリカード、スマートフォン１１０から着脱可能な光ディスク、磁気や光カード、ＩＣカード等であってもよい。なお、スマートフォン１１０の機能や処理は、ＣＰＵ２０１がＲＯＭ２０２等に格納されているプログラムを読み出し、このプログラムを実行することにより実現されるものである。
【００１２】
操作部２０６は、タッチスクリーンデバイス等の入力デバイスであり、表示部２０５と操作部２０６は、操作パネルとして一体に設けられている。表示部２０５は、各種情報を表示し、操作部２０６は、ユーザ操作を受け付ける。通信部２０７は、ネットワークを介して外部装置との通信処理を行う。
【００１３】
なお、ＰＣ１２０のハードウェア構成は、スマートフォン１１０のハードウェア構成とほぼ同様である。なお、ＰＣ１２０においては、表示部２０５と操作部２０６は別に設けられており、操作部２０６は、例えばポインティングデバイスやキーボードである。
【００１４】
図３は、撮像装置１３０のハードウェア構成を示す図である。撮像装置１３０は、ＣＰＵ３０１と、ＲＯＭ３０２と、ＲＡＭ３０３と、外部記憶媒体３０４と、表示部３０５と、入力部３０６と、通信部３０７とを有している。これら各部は、ＰＣ１２０の各部と同様である。撮像装置１３０はさらに画像の撮像を行う撮像部２０８を有している。
【００１５】
次に、画像管理システム１００における転送処理について説明する。転送処理は、撮像装置１３０において得られた画像をＰＣ１２０に転送する処理である。なお、転送処理の開始の契機は、ユーザによる転送開始の指示や画像閲覧の指示等とするが、これらに限定されるものではない。
【００１６】
図４は、転送処理におけるＰＣ１２０の処理を示すフローチャートである。なお、以下の処理は、ＰＣ１２０のＣＰＵ２０１がＲＯＭ２０２等に格納されているプログラムを読み出し、このプログラムを実行することにより実現されるものである。Ｓ４０１において、ＰＣ１２０のＣＰＵ２０１は、撮像装置１３０に対して接続要求を行う。次に、Ｓ４０２において、ＰＣ１２０は、接続が確立すると、撮像装置１３０から各撮像装置が転送済みか否かを判定できる転送フラグを取得し、転送フラグに基づき未転送（未取得）の画像を特定する。
【００１７】
次に、Ｓ４０３において、ＰＣ１２０は、未転送の画像の管理情報の取得要求を撮像装置１３０に送信し、その返答として撮像装置１３０から管理情報を受信する。そして、ＰＣ１２０は、受信した管理情報を外部記憶装置２０４等の記憶部に記録する。ここで、管理情報は、画像を一意に識別する識別子や、事前にユーザが撮像装置１３０に対するユーザ操作により付加したレーティングや編集等、画像に対する処理内容を示す情報等、画像に関する情報を含んでいる。さらに、Ｓ４０４において、ＰＣ１２０は、Ｓ４０３において取得した画像に対応したサムネイルデータの取得要求を撮像装置１３０に送信し、その返答として撮像装置１３０からサムネイルデータを受信し、これを記憶部に記録する。
【００１８】
続く、Ｓ４０５〜Ｓ４０７は、未転送の画像それぞれに対して実行される繰り返し処理である。Ｓ４０５において、ＰＣ１２０は、スマートフォン１１０から画像を指定した取得要求を受信しているか否かを確認する。ＰＣ１２０は、取得要求を受信している場合には（Ｓ４０５でＹｅｓ）、処理をＳ４０６へ進める。ＰＣ１２０は、取得要求を受信していない場合には（Ｓ４０５でＮｏ）、処理をＳ４０７へ進める。
【００１９】
Ｓ４０６において、ＰＣ１２０は、未転送の画像の取得順序を変更する。具体的には、ＰＣ１２０は、スマートフォン１１０からの取得要求に係る画像を優先的に受信すべく、取得要求に係る画像の取得順序をより早い順番に変更する。次に、Ｓ４０７において、ＰＣ１２０は、取得順序に従い、未取得の１つの画像の取得要求を撮像装置１３０に送信し、その返答として画像を受信し、これを記憶部に記録する。ＰＣ１２０は、未取得のすべての画像の受信を完了すると、処理をＳ４０８へ進める。Ｓ４０８において、撮像装置１３０に対して接続の切断要求を行い、切断されたことを確認し、処理を終了する。
【００２０】
図５は、転送処理における撮像装置１３０の処理を示すフローチャートである。なお、以下の処理は、撮像装置１３０のＣＰＵ３０１がＲＯＭ３０２等に格納されているプログラムを読み出し、このプログラムを実行することにより実現されるものである。Ｓ５０１において、撮像装置１３０は、ＰＣ１２０からの接続要求（図４のＳ４０１）を受けて、ＰＣ１２０と接続する。続く、Ｓ５０２〜Ｓ５０５の処理は、撮像装置１３０がＰＣ１２０からの要求に対して返答を返す処理である。Ｓ５０２において、撮像装置１３０は、ＰＣ１２０からの要求を受信する。次に、Ｓ５０３において、撮像装置１３０は、要求が情報取得要求であるか否かを判定する。なお、撮像装置１３０は、Ｓ５０２において、図４に示すＳ４０２〜Ｓ４０４、Ｓ４０７においてＰＣ１２０から送信された要求等を受信する。
【００２１】
撮像装置１３０は、要求が情報取得に係る要求の場合には（Ｓ５０３でＹｅｓ）、処理をＳ５０４へ進める。撮像装置１３０は、要求が情報取得に係る要求でない場合には（Ｓ５０３でＮｏ）、処理をＳ５０５へ進める。Ｓ５０４において、撮像装置１３０は、要求に対応した返答をＰＣ１２０に送信し、その後処理をＳ５０２へ進める。撮像装置１３０は、例えば、画像の取得要求を受信した場合には、取得要求に係る画像を送信する。Ｓ５０５においては、撮像装置１３０は、切断要求に応じてＰＣ１２０との通信を切断し、処理を終了する。ＰＣ１２０及び撮像装置１３０の以上の処理により、撮像装置１３０からＰＣ１２０に対し未転送の画像が転送される。
【００２２】
次に、ユーザがスマートフォン１１０を操作して、撮像装置１３０により撮像された画像を閲覧する際の処理について説明する。なお、本処理は、図４及び図５を参照しつつ説明した転送処理と並行して行われる。図６は、スマートフォン１１０による処理を示すフローチャートである。なお、以下の処理は、スマートフォン１１０のＣＰＵ２０１がＲＯＭ２０２等に格納されているプログラムを読み出し、このプログラムを実行することにより実現されるものである。
【００２３】
Ｓ６０１において、スマートフォン１１０は、ＰＣ１２０と通信可能か否かを判定する。例えば、ＰＣ１２０は起動していない場合があるため、常に通信可能とは限らない。そこで、このように、スマートフォン１１０は、ＰＣ１２０と通信可能か否かを判定する。スマートフォン１１０は、ＰＣ１２０と通信可能な場合には（Ｓ６０１でＹｅｓ）、処理をＳ６０２へ進める。スマートフォン１１０は、ＰＣ１２０と通信可能でない場合には（Ｓ６０１でＮｏ）、処理をＳ６０３へ進める。
【００２４】
Ｓ６０２において、スマートフォン１１０は、ＰＣ１２０を通信相手として決定し、さらにＰＣ１２０を撮像画像の取得元として決定する。なお、Ｓ６０２における処理については、図７、図８を参照しつつ後述する。一方、Ｓ６０３において、スマートフォン１１０は、撮像装置１３０を通信相手として決定し、さらに撮像装置１３０を撮像画像の取得元として決定する。Ｓ６０３における処理については、図９を参照しつつ後述する。Ｓ６０２又はＳ６０３の処理の後、スマートフォン１１０は、処理をＳ６０４へ進める。Ｓ６０４において、スマートフォン１１０は、操作終了要求を受け付けたか否かを判定する。スマートフォン１１０は、操作終了要求を受け付けた場合には（Ｓ６０４でＹｅｓ）、処理を終了する。スマートフォン１１０は、操作終了要求を受け付けなかった場合には（Ｓ６０４でＮｏ）、処理をＳ６０１へ進める。
【００２５】
図７は、Ｓ６０２におけるスマートフォン１１０の詳細な処理を示すフローチャートである。図８は、Ｓ６０２におけるスマートフォン１１０の処理に対応した、ＰＣ１２０の処理を示すフローチャートである。図７において、Ｓ７０１において、スマートフォン１１０は、ＰＣ１２０に対し通信接続要求を行う。接続が確立されると、続いて、Ｓ７０２において、スマートフォン１１０は、ＰＣ１２０と管理情報を送受信する。本処理により、スマートフォン１１０とＰＣ１２０は、管理情報を相互に反映することができる。
【００２６】
次に、Ｓ７０３において、スマートフォン１１０は、ユーザからの指示入力を受け付ける。この入力は、例えば画像に対して画質設定を行う編集操作やレーティング変更入力等である。次に、Ｓ７０４において、スマートフォン１１０は、指示入力に応じた編集処理やレーティング変更処理を行い（処理実行）、その結果をユーザに提示する。スマートフォン１１０は、また例えば、画像表示の指示に対応し、ＰＣ１２０から画像を受信し、これを表示部２０５に表示するよう制御する。そして、スマートフォン１１０は、この処理内容に応じて、スマートフォン１１０に記憶されている管理情報を更新する。なお、更新後の管理情報は、Ｓ７０４の処理以降のタイミングにおいて実行されるＳ７０２の処理において、ＰＣ１２０に送信される。すなわち、Ｓ７０２の処理は、管理情報を外部装置（情報処理装置）としてのＰＣ１２０に送信する送信処理の一例である。
【００２７】
次に、Ｓ７０５において、スマートフォン１１０は、ユーザ操作に応じて操作終了要求を受け付けたか否かを判定する。スマートフォン１１０は、操作終了要求を受け付けた場合には（Ｓ７０５でＹｅｓ）、処理をＳ７０７へ進める。スマートフォン１１０は、操作終了要求を受け付けなかった場合には（Ｓ７０５でＮｏ）、処理を７０６へ進める。Ｓ７０６において、スマートフォン１１０は、再びＰＣ１２０と通信可能か否かを判定する。本処理は、Ｓ６０１の処理と同様である。
【００２８】
スマートフォン１１０は、通信可能な場合には（Ｓ７０６でＹｅｓ）、処理をＳ７０２へ進める。スマートフォン１１０は、通信可能でない場合には（Ｓ７０６でＮｏ）、図６のＳ６０２における処理を終了し、処理をＳ６０４へ進める。なお、Ｓ７０５において操作終了要求を受け付けなかったと判定された場合には、続くＳ６０４において、操作終了要求を受け付けなかったと判定されることとなる。Ｓ７０７において、スマートフォン１１０は、操作終了要求に応じてＰＣ１２０に対して切断要求を行い、処理を終了し、処理を図６のＳ６０４へ進める。なお、この場合には、続くＳ６０４において、操作終了要求を受け付けたと判定されることとなる。
【００２９】
次に、図７を参照しつつ説明したスマートフォン１１０の処理に対応した、ＰＣ１２０の処理について、図８を参照しつつ説明する。Ｓ８０１において、ＰＣ１２０は、図７に示すＳ７０１における接続要求に応じて、スマートフォン１１０と接続する。次に、Ｓ８０２において、ＰＣ１２０は、スマートフォン１１０から送信された要求を受信する。次に、Ｓ８０３において、ＰＣ１２０は、受信した要求の種類を判定する。ＰＣ１２０は、要求の種類が管理情報の送受信要求の場合には、処理をＳ８０４へ進める。Ｓ８０４において、ＰＣ１２０は、管理情報の送受信を行い、受信した内容を管理情報に反映し、その後処理をＳ８０２へ進める。
【００３０】
また、ＰＣ１２０は、Ｓ８０３において、要求の種類が画像の取得要求であった場合、処理をＳ８０５へ進める。Ｓ８０５において、ＰＣ１２０は、取得要求に係る画像が自装置の外部記憶装置２０４に記憶されているかを判定し、記憶されていればこれを送信する。また、記憶されていない場合には、ＰＣ１２０は、Ｓ４０６（図４）の処理のように、画像の取得順序を変更し、取得要求に係る画像を優先的に撮像装置１３０から受信する。そして、ＰＣ１２０は、撮像装置１３０から画像を取得すると、これをＰＣ１２０に送信する。そして、ＰＣ１２０は、処理をＳ８０２へ進める。また、ＰＣ１２０は、Ｓ８０３において、要求の種類が切断要求だった場合、処理をＳ８０６へ進める。Ｓ８０６において、ＰＣ１２０は、スマートフォン１１０との通信を切断し、処理を終了する。
【００３１】
図９は、図６のＳ６０３におけるスマートフォン１１０の詳細な処理を示すフローチャートである。なお、Ｓ６０３において、スマートフォン１１０と通信する撮像装置１３０の処理は、図５を参照しつつ説明した撮像装置１３０の処理と同様である。撮像装置１３０は、通信相手がスマートフォン１１０及びＰＣ１２０のいずれであっても、接続先の要求に対応する返答を行う。
【００３２】
図９のＳ９０１において、スマートフォン１１０は、撮像装置１３０に対して接続要求を行う。続く、Ｓ９０２〜Ｓ９０４の処理は、それぞれ図７において説明したＳ７０３〜Ｓ７０５の処理と同様である。すなわち、Ｓ９０３においては、スマートフォン１１０は、指示入力に応じた処理を行い、その結果をユーザに提示する。スマートフォン１１０は、例えば、画像表示の指示に対応し、撮像装置１３０から画像を受信し、これを表示部２０５に表示するよう制御する。スマートフォン１１０はまた例えば、編集処理やレーティング変更処理等を行う。そして、スマートフォン１１０は、この変更内容をスマートフォン１１０に記憶されている管理情報に反映する。
【００３３】
Ｓ９０４において、スマートフォン１１０は、操作終了要求を受け付けた場合には（Ｓ９０４でＹｅｓ）、処理をＳ９０７へ進める。スマートフォン１１０は、操作終了要求を受け付けなかった場合には（Ｓ９０４でＮｏ）、処理をＳ９０５へ進める。Ｓ９０５において、スマートフォン１１０は、再びＰＣ１２０と通信可能か否かを判定する。本処理は、Ｓ６０１の処理と同様である。スマートフォン１１０は、通信可能な場合には（Ｓ９０５でＹｅｓ）、処理をＳ９０７へ進める。スマートフォン１１０は、通信可能でない場合には（Ｓ９０５でＮｏ）、処理をＳ９０６へ進める。
【００３４】
Ｓ９０６において、スマートフォン１１０は、通信可能になっていない旨をユーザに通知し、その後処理をＳ９０２へ進める。なお、ユーザへの通知の目的は、ユーザに、ＰＣ１２０の起動を促すことである。スマートフォン１１０は、具体的には、通信不可能なことを示す情報を文字又はアイコンで自装置の表示部２０５に表示するよう制御する（表示処理）。他の例としては、スマートフォン１１０は、音声等他の手段でユーザへの通知を行ってもよい。Ｓ９０７においては、スマートフォン１１０は、撮像装置１３０に切断要求を行い、処理を終了し、その後処理を図６のＳ６０４へ進める。
【００３５】
Ｓ９０５において通信可能と判定された場合には、Ｓ６０４において、操作終了要求を受け付けなかったと判定され、処理はＳ６０１へ進むこととなる。そして、Ｓ６０１においても、通信可能と判定された場合には、Ｓ６０２の処理が行われる。すなわち、スマートフォン１１０は、ＰＣ１２０が通信可能となった場合には、ユーザ操作を途切れさせることなく、通信相手を撮像装置１３０からＰＣ１２０に切り替えて、ユーザ操作に応じた処理を継続することができる。同様に、スマートフォン１１０は、ＰＣ１２０との通信が不可能になった場合には、ユーザ操作をとぎれさせることなく、通信相手をＰＣ１２０から撮像装置１３０に切り替えて、ユーザ操作に応じた処理を継続することができる。
【００３６】
以上のように、本実施形態の画像管理システム１００においては、ユーザは、スマートフォン１１０を操作して撮像画像の閲覧及び編集を行う際に、撮像装置１３０からＰＣ１２０への画像の転送状況に依らず操作を行うことができる。
【００３７】
なお、実施形態の変形例としては、スマートフォン１１０は、ＰＣ１２０への管理情報の送信状況を示す情報を表示部２０５に表示するよう制御してもよい。具体的には、スマートフォン１１０は、未送信の管理情報と送信済みの管理情報を識別可能にアイコン等で表示するよう制御してもよい。
【００３８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００３９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００４０】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【符号の説明】
【００４１】
１００  画像管理システム
１１０  スマートフォン
１２０  ＰＣ
１３０  撮像装置
【図１】
2018136609.tif 000003
【図２】
2018136609.tif 000004
【図３】
2018136609.tif 000005
【図４】
2018136609.tif 000006
【図５】
2018136609.tif 000007
【図６】
2018136609.tif 000008
【図７】
2018136609.tif 000009
【図８】
2018136609.tif 000010
【図９】
2018136609.tif 000011